(57)【要約】【課題】  シューズのクッション性を確保しつつ横方向の安定性を向上させる。【解決手段】  シューズのソール構造体１において、上方に配設された上部プレート２と、上部プレート２との間に空隙Ｓを形成しつつ下方に配設され、その踵部中央部位において上方に凸状に膨出する膨出部３２を有する下部プレート３と、上下部プレート２，３間において空隙Ｓの形成個所に対応して内甲側縁部または外甲側縁部に配設され、上下部プレート２，３を連結する連結部とを設ける。連結部を、上部プレート２の張出部２２とこれに連結される下部プレート３の巻上げ部３１とから構成する。上下部プレート２，３間において踵中央部位には、上下方向に延びる支柱４０が配設されている、【選択図】  図２
2008048894.tif 000002
【特許請求の範囲】
【請求項１】
シューズのソール構造体であって、
シューズの少なくとも踵部において、上方に配設された板状の上部プレートと、
前記上部プレートとの間に空隙を形成しつつ下方に配設されるとともに、その踵部中央部位において上方に凸状に膨出する膨出部を有する板状の下部プレートと、
前記上下部プレート間において前記空隙の形成個所に対応してシューズの内甲側縁部または外甲側縁部に配設され、前記上下部プレートを連結する少なくとも一つの連結部と、
を備えたシューズのソール構造体。
【請求項２】
請求項１において、
前記下部プレートの下面には、前記膨出部による凹部を通って前後方向に延びる第１の溝が形成されている、
ことを特徴とするシューズのソール構造体。
【請求項３】
請求項２において、
前記下部プレートの下面には、幅方向に延びる１つまたは２つ以上の第２の溝が形成されている、
ことを特徴とするシューズのソール構造体。
【請求項４】
請求項３において、
前記下部プレートが、幅方向に延びる稜線を有しかつ前後方向に進む波形状を有しており、前記第２の溝が、前記波形状の山の部分により形成されている、
ことを特徴とするシューズのソール構造体。
【請求項５】
請求項３において、
前記下部プレートが、前記第１および第２の溝により３つ以上の領域に区画されており、前記下部プレートの下面には、前記各領域に対応して３つ以上のアウトソール部またはクリーツ部が設けられている、
ことを特徴とするシューズのソール構造体。
【請求項６】
請求項５において、
前記上下部プレートを連結する前記連結部が前記各領域に対応して３つ以上の個所に設けられている、
ことを特徴とするシューズのソール構造体。
【請求項７】
請求項１において、
前記膨出部により前記下部プレートの下面の前記踵部中央部位に形成される凹部が、実質的に前後方向に延びる長穴形状を有しており、前記長穴形状の長軸方向と直交する線がシューズの内甲側縁部または外甲側縁部と交差する位置に前記連結部が配置されている、
ことを特徴とするシューズのソール構造体。
【請求項８】
シューズのソール構造体であって、
シューズの少なくとも踵部において、上方に配設された板状の上部プレートと、
前記上部プレートとの間に空隙を形成しつつ下方に配設された板状の下部プレートと、
前記上下部プレート間において前記空隙の形成個所に対応してシューズの内甲側縁部または外甲側縁部に配設され、前記上下部プレートを連結する少なくとも一つの連結部と、
前記下部プレートの踵部下面において、幅方向に分離してシューズの内甲側および外甲側にそれぞれ設けられたアウトソール部またはクリーツ部と、
を備えたシューズのソール構造体。
【請求項９】
請求項８において、
前記下部プレートが、前後方向に延びる第１の溝を踵部下面の幅方向中央に有している、
ことを特徴とするシューズのソール構造体。
【請求項１０】
請求項９において、
前記下部プレートが、幅方向に延びる１つまたは２つ以上の第２の溝を踵部下面の前後方向中央に有している、
ことを特徴とするシューズのソール構造体。
【請求項１１】
請求項１０において、
前記下部プレートが、幅方向に延びる稜線を有しかつ前後方向に進む波形状を有しており、前記第２の溝が、前記波形状の山の部分により形成されている、
ことを特徴とするシューズのソール構造体。
【請求項１２】
請求項１０において、
前記下部プレートが、前記第１および第２の溝により３つ以上の領域に区画されており、前記下部プレートの下面には、前記各領域に対応して３つ以上のアウトソール部またはクリーツ部が設けられている、
ことを特徴とするシューズのソール構造体。
【請求項１３】
請求項１２において、
前記上下部プレートを連結する前記連結部が前記各領域に対応して３つ以上の個所に設けられている、
ことを特徴とするシューズのソール構造体。
【請求項１４】
請求項１または８において、
前記踵中央部位において前記上下部プレート間には、上下方向に延びる弾性部材製の支柱が配設されている、
ことを特徴とするシューズのソール構造体。
【請求項１５】
請求項１または８において、
前記踵中央部位において前記上下部プレートが一体的に連結されている、
ことを特徴とするシューズのソール構造体。
【請求項１６】
請求項１４において、
前記上部プレートの上方には、軟質弾性部材製のミッドソールが配設されており、前記ミッドソールの一部が、前記上部プレートの前記踵中央部位に形成された貫通孔を通って下方に延設されることにより前記支柱が形成されており、前記支柱の先端が前記下部プレートの上面に当接している、
ことを特徴とするシューズのソール構造体。
【請求項１７】
請求項２、３、８、９または１０のいずれかにおいて、
前記上下部プレート間において、前記第１または第２の溝に対応する位置、あるいは隣り合う各アウトソール部または各クリーツ部の間に対応する位置には、上下方向に延びる弾性部材製の支柱が配設されている、
ことを特徴とするシューズのソール構造体。
【請求項１８】
請求項２、３、８、９または１０のいずれかにおいて、
前記上下部プレートが、前記第１または第２の溝に対応する位置において、あるいは隣り合う各アウトソール部または各クリーツ部の間に対応する位置において、一体的に連結されている、
ことを特徴とするシューズのソール構造体。
【請求項１９】
請求項１７において、
前記上部プレートの上方には、軟質弾性部材製のミッドソールが配設されており、前記ミッドソールの一部が、前記上部プレートの前記踵部に形成された貫通孔を通って下方に延設されることにより前記支柱が形成されており、前記支柱の先端が前記下部プレートの上面に当接している、
ことを特徴とするシューズのソール構造体。
【請求項２０】
請求項１または８において、
前記連結部が、前記下部プレートの踵部の内甲側縁部または外甲側縁部から上方に一体に延設された延設部と、前記上部プレートの踵部の内甲側縁部または外甲側縁部から側方に張り出すとともに前記延設部の外側面を外側から保持する張出部とから構成されており、前記延設部が前記張出部の内側面に固着されている、
ことを特徴とするシューズのソール構造体。
【請求項２１】
請求項１または８において、
前記連結部が、前記上部プレートの踵部の内甲側縁部または外甲側縁部から下方に一体に延設された延設部と、前記下部プレートの踵部の内甲側縁部または外甲側縁部から側方に張り出すとともに前記延設部の外側面を外側から保持する張出部とから構成されており、前記延設部が前記張出部の内側面に固着されている、
ことを特徴とするシューズのソール構造体。
【請求項２２】
請求項２０または２１において、
前記連結部の前記延設部が、弾性部材を介して前記張出部に固着されている、
ことを特徴とするシューズのソール構造体。
【請求項２３】
請求項２２において、
前記弾性部材が、前記下部プレートの下面に配設されたアウトソール部を上方に延設して設けられている、
ことを特徴とするシューズのソール構造体。
【請求項２４】
請求項１または８において、
前記連結部が、シューズの踵部の内甲側縁部および外甲側縁部に前後方向の間隔を隔ててそれぞれ２つずつ設けられている、
ことを特徴とするシューズのソール構造体。
【発明の詳細な説明】
【技術分野】
【０００１】
本発明は、シューズのソール構造体に関し、詳細には、シューズのクッション性を確保しつつとくに踵部の横方向の安定性を向上させるための構造の改良に関し、とくにインドアシューズに好適のソール構造体を提供する。
【背景技術】
【０００２】
シューズのソール構造において、クッション性を向上させるものとして、たとえば国際公開第２００６/０７０５４９号パンフレットに示すようなものが提案されている。同パンフレットに示すソール構造体は、ソール構造体の上方に配設された上部プレートと、上部プレートとの間に一定の空隙を隔てて下方に配設された下部プレートと、上下部プレート間の空隙に設けられ、上下部プレートを上下方向に連結するクッションバーとから構成されている。クッションバーは、上下部プレートの幅方向全長にわたって延設されているか、または上下部プレートの幅方向両端に配置されている。
【０００３】
このような従来のソール構造体において、シューズの着地時にソール構造体に衝撃荷重が作用した際には、上下部プレート間に形成された空隙によって、クッション性が確保される。
【０００４】
しかしながら、前記従来のソール構造では、空隙による開口が上下部プレートの内甲側端および外甲側端に形成されており、このため、サイドステップやターンなどの動作の際にシューズのとくに踵部に横方向の荷重が作用した場合に、上下部プレートの内甲側端および外甲側端が上下方向に過度に変形する結果、踵部の横方向の安定性が確保できなくなる恐れがある。前記従来構造では、上下部プレート間において幅方向全長または幅方向両端にクッションバーを配置しているが、このようなクッションバーのみでは、踵部の横方向の安定性が確保するには限界があることがその後の研究で明らかになってきた。
【特許文献１】国際公開第２００６/０７０５４９号パンフレット（第１Ａ図、第１Ｂ図参照）
【発明の開示】
【発明が解決しようとする課題】
【０００５】
本発明は、このような実情に鑑みてなされたものであり、本発明が解決しようとする課題は、シューズのクッション性を確保しつつ、とくに踵部の横方向の安定性を向上させることができるソール構造体を提供することにある。
【課題を解決するための手段】
【０００６】
請求項１の発明に係るシューズのソール構造体は、シューズの少なくとも踵部において、上方に配設された板状の上部プレートと、上部プレートとの間に空隙を形成しつつ下方に配設されるとともに、その踵部中央部位において上方に凸状に膨出する膨出部を有する板状の下部プレートと、上下部プレート間において空隙の形成個所に対応してシューズの内甲側縁部または外甲側縁部に配設され、上下部プレートを連結する少なくとも一つの連結部とを備えている。
【０００７】
請求項２の発明では、請求項１において、下部プレートが、膨出部による凹部を通って前後方向に延びる第１の溝を下面に有している。
【０００８】
請求項３の発明では、請求項２において、下部プレートが、幅方向に延びる１つまたは２つ以上の第２の溝を下面に有している。
【０００９】
請求項４の発明では、請求項３において、下部プレートが、幅方向に延びる稜線を有しかつ前後方向に進む波形状を有しており、第２の溝が、波形状の山の部分により形成されている。
【００１０】
請求項５の発明では、請求項３において、下部プレートが、第１および第２の溝により３つ以上の領域に区画されており、下部プレートの下面には、各領域に対応して３つ以上のアウトソール部またはクリーツ部が設けられている。
【００１１】
請求項６の発明では、請求項５において、上下部プレートを連結する連結部が各領域に対応して３つ以上の個所に設けられている。
【００１２】
請求項７の発明では、請求項１において、膨出部により下部プレートの下面の踵部中央部位に形成される凹部が、実質的に前後方向に延びる長穴形状を有しており、長穴形状の長軸方向と直交する線がシューズの内甲側縁部または外甲側縁部と交差する位置に前記連結部が配置されている。
【００１３】
請求項８の発明に係るシューズのソール構造体は、シューズの少なくとも踵部において、上方に配設された板状の上部プレートと、上部プレートとの間に空隙を形成しつつ下方に配設された板状の下部プレートと、上下部プレート間において空隙の形成個所に対応してシューズの内甲側縁部または外甲側縁部に配設され、上下部プレートを連結する少なくとも一つの連結部と、下部プレートの踵部下面において、幅方向に分離してシューズの内甲側および外甲側にそれぞれ設けられたアウトソール部またはクリーツ部とを備えている。
【００１４】
請求項９では、請求項８において、下部プレートが、前後方向に延びる第１の溝を踵部下面の幅方向中央に有している。
【００１５】
請求項１０の発明では、請求項９において、下部プレートが、幅方向に延びる１つまたは２つ以上の第２の溝を踵部下面の前後方向中央に有している。
【００１６】
請求項１１の発明では、請求項１０において、下部プレートが、幅方向に延びる稜線を有しかつ前後方向に進む波形状を有しており、第２の屈曲溝が、波形状の山の部分により形成されている。
【００１７】
請求項１２の発明では、請求項１０において、下部プレートが、第１および第２の溝により３つ以上の領域に区画されており、下部プレートの下面には、各領域に対応して３つ以上のアウトソール部またはクリーツ部が設けられている。
【００１８】
請求項１３の発明では、請求項１２において、上下部プレートを連結する連結部が各領域に対応して３つ以上の個所に設けられている。
【００１９】
請求項１４の発明では、請求項１または８において、踵中央部位において上下部プレート間には、上下方向に延びる弾性部材製の支柱が配設されている。
【００２０】
請求項１５の発明では、請求項１または８において、踵中央部位において上下部プレートが一体的に連結されている。
【００２１】
請求項１６の発明では、請求項１４において、上部プレートの上方には、軟質弾性部材製のミッドソールが配設されており、ミッドソールの一部が、上部プレートの前記踵中央部位に形成された貫通孔を通って下方に延設されることにより支柱が形成されており、支柱の先端が前記下部プレートの上面に当接している。
【００２２】
請求項１７の発明では、請求項２、３、９または１０のいずれかにおいて、第１または第２の溝に対応する位置、あるいは隣り合う各アウトソール部または各クリーツ部の間に対応する位置において、上下部プレート間には、上下方向に延びる弾性部材製の支柱が配設されている。
【００２３】
請求項１８の発明では、請求項２、３、９または１０のいずれかにおいて、第１または第２の溝に対応する位置、あるいは隣り合う各アウトソール部または各クリーツ部の間に対応する位置において、上下部プレートが一体的に連結されている。
【００２４】
請求項１９の発明では、請求項１７において、上部プレートの上方には、軟質弾性部材製のミッドソールが配設されており、ミッドソールの一部が、上部プレートの踵部に形成された貫通孔を通って下方に延設されることにより支柱が形成されており、支柱の先端が前記下部プレートの上面に当接している。
【００２５】
請求項２０の発明では、請求項１または８において、連結部が、下部プレートの踵部の内甲側縁部または外甲側縁部から上方に一体に延設された延設部と、上部プレートの踵部の内甲側縁部または外甲側縁部から側方に張り出すとともに延設部の外側面を外側から保持する張出部とから構成されており、延設部が張出部の内側面に固着されている。
【００２６】
請求項２１の発明では、請求項１または８において、連結部が、上部プレートの踵部の内甲側縁部または外甲側縁部から下方に一体に延設された延設部と、下部プレートの踵部の内甲側縁部または外甲側縁部から側方に張り出すとともに延設部の外側面を外側から保持する張出部とから構成されており、延設部が張出部の内側面に固着されている。
【００２７】
請求項２２の発明では、請求項２０または２１において、連結部の延設部が、弾性部材を介して前記張出部に固着されている。
【００２８】
請求項２３の発明では、請求項２２において、弾性部材が、下部プレートの下面に配設されたアウトソール部を上方に延設して設けられている。
【００２９】
請求項２４の発明では、請求項１または８において、連結部が、シューズの踵部の内甲側縁部および外甲側縁部に前後方向の間隔を隔ててそれぞれ２つずつ設けられている。
【００３０】
請求項１の発明によれば、上下部プレート間の空隙の形成個所に対応して内甲側縁部または外甲側縁部に、上下部プレートの連結部が設けられているので、サイドステップやターンなどの動作の際にシューズの踵部の周縁部に横方向の荷重が作用したとき、ソール外周部が上下方向に過度に変形するのを防止でき、これにより、シューズの踵部の横方向の安定性を向上できる。さらに、この場合には、上下部プレート間の少なくとも踵部に空隙が形成されているので、シューズ着地時のクッション性を確保できるとともに、下部プレートの踵部中央部位に上方への凸状膨出部が形成されていることにより、言い換えれば、この凸状膨出部の形成によって下部プレートの下面の踵部中央部位に凹部が形成されていることにより、シューズの踵部の周縁部から着地した際には、下部プレートが上下方向に変形しやすくなっており、これにより、シューズ着地時のクッション性を一層向上できる。
【００３１】
請求項２の発明では、請求項１において、下部プレートが、膨出部による凹部を通って前後方向に延びる第１の溝を下面に有しているので、シューズの踵部の内甲側部分または外甲側部分から着地した際には、第１の溝を挟んで下部プレートの踵部の左右いずれかの部分から接地することになり、このとき、下部プレートの当該部分が上下方向に変形しやすくなっているので、シューズ着地時のクッション性をより一層向上できる。なお、本明細書中において「前後方向」とは、ラスト（靴型）中心線と一致する方向のみならず、これと角度をなす実質的な足長方向を含む趣旨である。これは、内甲側または外甲側のいずれかの側に偏った荷重を中心側に戻すようにするためである。
【００３２】
請求項３の発明では、請求項２において、下部プレートが、幅方向に延びる１つまたは２つ以上の第２の溝を下面に有しているので、シューズの踵後端から着地した際には、第２の溝を挟んで踵後端側の部分が上下方向に変形しやすくなっており、これにより、シューズ着地時のクッション性をより一層向上できる。なお、本明細書中において「幅方向」とは、ラスト中心線と直交する方向のみならず、これと角度をなす実質的な足幅方向を含む趣旨である。
【００３３】
請求項４の発明では、請求項３において、下部プレートが、幅方向に延びる稜線を有しかつ前後方向に進む波形状を有しており、第２の溝が、波形状の山の部分により形成されている。
【００３４】
請求項５の発明では、請求項３において、下部プレートが、第１および第２の溝により３つ以上の領域に区画されており、下部プレートの下面には、各領域に対応して３つ以上のアウトソール部またはクリーツ部が設けられている。
【００３５】
請求項６の発明では、請求項５において、上下部プレートを連結する連結部が各領域に対応して３つ以上の個所に設けられている。
【００３６】
請求項７の発明では、請求項１において、膨出部により下部プレートの下面の踵部中央部位に形成される凹部が、実質的に前後方向に延びる長穴形状を有しており、長穴形状の長軸方向と直交する線がシューズの内甲側縁部または外甲側縁部と交差する位置に前記連結部が配置されている。
【００３７】
この場合には、シューズの着地時には、長穴形状を挟んで左右両側の部分が上下方向に変形しやすくなっており、シューズ着地時のクッション性をより一層向上できるとともに、サイドステップ等の横方向の動きによるソール外周部分の過度の沈み込みを連結部によって規制できる。
【００３８】
請求項８の発明に係るシューズのソール構造体は、シューズの少なくとも踵部において、上方に配設された板状の上部プレートと、上部プレートとの間に空隙を形成しつつ下方に配設された板状の下部プレートと、上下部プレート間において空隙の形成個所に対応してシューズの内甲側縁部または外甲側縁部に配設され、上下部プレートを連結する少なくとも一つの連結部と、下部プレートの踵部下面において、幅方向に分離してシューズの内甲側および外甲側にそれぞれ設けられたアウトソール部またはクリーツ部とを備えている
請求項８の発明では、上下部プレート間の少なくとも踵部に空隙が形成されているので、シューズ着地時のクッション性が確保される。しかも、この場合には、下部プレートの踵部下面の内甲側および外甲側にアウトソール部またはクリーツ部が幅方向に分離して設けられているので、シューズの内甲側または外甲側から着地した際には、下部プレートが上下方向に変形しやすくなっており、これにより、シューズ着地時のクッション性を一層向上できる。さらに、この場合には、上下部プレート間の空隙の形成個所に対応して内甲側縁部または外甲側縁部に、上下部プレートの連結部が設けられているので、サイドステップやターンなどの動作の際にシューズの踵部に横方向の荷重が作用したとき、上下部プレートが上下方向に過度に変形するのを防止でき、これにより、シューズの踵部の横方向の安定性が向上できる。
【００３９】
請求項９の発明では、請求項８において、下部プレートが、前後方向に延びる第１の溝を踵部下面の幅方向中央に有しているので、シューズの着地時には、第１の溝を挟んで左右両側の部分が上下方向に変形しやすくなっており、これにより、シューズ着地時のクッション性をより一層向上できる。
【００４０】
請求項１０の発明では、請求項９において、下部プレートが、幅方向に延びる１つまたは２つ以上の第２の溝を踵部下面の前後方向中央に有しているので、シューズの踵後端から着地した際には、第２の溝を挟んで踵後端側の部分が上下方向に変形しやすくなっており、これにより、シューズ着地時のクッション性をより一層向上できる。
【００４１】
請求項１１の発明では、請求項１０において、下部プレートが、幅方向に延びる稜線を有しかつ前後方向に進む波形状を有しており、第２の溝が、波形状の山の部分により形成されている。
【００４２】
請求項１２の発明では、請求項１０において、下部プレートが、第１および第２の溝により３つ以上の領域に区画されており、下部プレートの下面には、各領域に対応して３つ以上のアウトソール部またはクリーツ部が設けられている。
【００４３】
請求項１３の発明では、請求項１２において、上下部プレートを連結する連結部が各領域に対応して３つ以上の個所に設けられている。
【００４４】
請求項１４の発明では、請求項１または８において、上下方向に延びる弾性部材製の支柱が上下部プレート間の踵中央部位に配設されているので、シューズの着地時においてソール構造体の踵部に荷重が作用した際には、上部プレートからの下方への荷重が支柱を介して下部プレートの踵中央部位に作用する。これにより、下部プレートの膨出部が下方に押圧され、このとき、上下部プレートの内甲（または外甲）側縁部の連結部が踵内方に変形しようとする。その結果、上下部プレートの連結部の剛性が向上して、ソール外周部分が下方に沈み込むのを防止できる。また、この場合には、シューズの着地時において上下部プレートが変形する際には、上下部プレートの踵中央部位が互いに接触して底付きを起こすのを防止でき、これにより、シューズ踵部位のクッション性を向上できる。
【００４５】
なお、請求項１５の発明に記載されているように、上下部プレートは、支柱を介さずに、踵中央部位において一体的に連結されていてもよい。この場合、シューズの着地時にソール構造体の踵部に荷重が作用した際には、上部プレートからの下方への荷重が直接下部プレートの踵中央部位に作用して、下部プレートの膨出部が下方に押圧され、このとき、上下部プレートの内甲（または外甲）側縁部の連結部が踵内方に変形しようとする。その結果、上下部プレートの連結部の剛性が向上して、ソール外周部分が下方に沈み込むのを防止できる。
【００４６】
また、弾性部材製の支柱は、請求項１６の発明に記載されているように、上部プレートの上方に配設された軟質弾性部材製のミッドソールの一部を、上部プレートの踵中央部位に形成された貫通孔を通って下方に延設することにより形成するようにしてもよい。
【００４７】
請求項１７の発明では、請求項２、３、８、９または１０のいずれかにおいて、上下方向に延びる弾性部材製の支柱が、上下部プレート間において第１または第２の溝に対応する位置（あるいは隣り合う各アウトソール部または各クリーツ部の間に対応する位置）に配設されているので、シューズの着地時においてソール構造体の踵部に荷重が作用した際には、上部プレートからの下方への荷重が支柱を介して下部プレートの踵部の各溝に対応する位置（あるいは隣り合う各アウトソール部または各クリーツ部の間に対応する位置）に作用する。これにより、下部プレートが下方に押圧され、このとき、上下部プレートの内甲（または外甲）側縁部の連結部が踵内方に変形しようとする。その結果、上下部プレートの連結部の剛性が向上して、ソール外周部分が下方に沈み込むのを防止できる。また、この場合には、シューズの着地時において上下部プレートが変形する際には、上下部プレートが互いに接触して底付きを起こすのを防止でき、これにより、シューズ踵部位のクッション性を向上できる。
【００４８】
なお、請求項１８の発明に記載されているように、上下部プレートは、支柱を介さずに、踵部の第１または第２の溝に対応する位置（あるいは隣り合う各アウトソール部または各クリーツ部の間に対応する位置）において、一体的に連結されていてもよい。この場合、シューズの着地時にソール構造体の踵部に荷重が作用した際には、上部プレートからの下方への荷重が直接下部プレートの踵部の各溝に対応する位置（あるいは隣り合う各アウトソール部または各クリーツ部の間に対応する位置）に作用して、下部プレートが下方に押圧され、このとき、上下部プレートの内甲（または外甲）側縁部の連結部が踵内方に変形しようとする。その結果、上下部プレートの連結部の剛性が向上して、ソール外周部分が下方に沈み込むのを防止できる。
【００４９】
また、弾性部材製の支柱は、請求項１９の発明に記載されているように、上部プレートの上方に配設された軟質弾性部材製のミッドソールの一部を、上部プレートの踵部に形成された貫通孔を通って下方に延設することにより形成するようにしてもよい。
【００５０】
請求項２０の発明では、請求項１または８において、連結部が、下部プレートの踵部の内甲側縁部または外甲側縁部から上方に一体に延設された延設部と、上部プレートの踵部の内甲側縁部または外甲側縁部から側方に張り出すとともに延設部の外側面を外側から保持する張出部とから構成されており、延設部が張出部の内側面に固着されている。
【００５１】
請求項２１の発明では、請求項１または８において、連結部が、上部プレートの踵部の内甲側縁部または外甲側縁部から下方に一体に延設された延設部と、下部プレートの踵部の内甲側縁部または外甲側縁部から側方に張り出すとともに延設部の外側面を外側から保持する張出部とから構成されており、延設部が張出部の内側面に固着されている。
【００５２】
請求項２２の発明では、請求項２０または２１において、連結部の延設部が、弾性部材を介して前記張出部に固着されている。
【００５３】
請求項２３の発明では、請求項２２において、弾性部材が、下部プレートの下面に配設されたアウトソール部を上方に延設して設けられている。
【００５４】
請求項２４の発明では、請求項１または８において、連結部が、シューズの踵部の内甲側縁部および外甲側縁部に前後方向の間隔を隔ててそれぞれ２つずつ設けられている。
【発明の効果】
【００５５】
以上のように本発明に係るソール構造体によれば、上下方向の空隙を隔てて板状の上下部プレートを配設し、上下部プレートの内甲側縁部または外甲側縁部において空隙の形成個所に対応して上下部プレートの連結部を設けるとともに、下部プレートの踵部中央部位に上方への凸状膨出部を形成する（または下部プレートの踵部下面の内甲側および外甲側にアウトソール部またはクリーツ部を幅方向に分離して設ける）ようにしたので、シューズのクッション性を確保しつつとくに踵部の横方向の安定性を向上させることができる。
【発明を実施するための最良の形態】
【００５６】
以下、本発明の実施例を添付図面に基づいて説明する。
【００５７】
図１ないし図９は、本発明の一実施例によるシューズ用ソール構造体を説明するための図であって、図１はソール構造体の底面図、図２はソール構造体の外甲側側面図、図３はソール構造体の内甲側側面図、図４はソール構造体のIV-IV線断面図（ラスト中心線縦断面図）、図５は図１のV-V線断面図、図６は図１のVI-VI線断面図、図７は図１のVII-VII線断面図、図８はソール構造体の斜視側面図、図９はソール構造体の斜視底面図である。
【００５８】
図１ないし図９に示すように、ソール構造体１は、上方（図８上方）に配設された、たとえば硬質樹脂製の板状上部プレート２と、上部プレート２との間に上下方向の空隙Ｓを形成しつつ下方（同図下方）に配設された、たとえば硬質樹脂製の板状下部プレート３とを有している。上部プレート２の上には、軟質弾性部材製のミッドソール４が設けられている。上部プレート２および下部プレート３は、いずれもソール構造体１の少なくとも踵部Ｈに設けられており、本実施例では、いずれも踵部Ｈから中足部Ｍを通って前足部Ｆの先端近傍まで延設されている。
【００５９】
図４ないし図７に示すように、上部プレート２は、踵部Ｈから前足部Ｆまで概ね平坦状に延びる底壁部２０と、底壁部２０の内甲側縁部および外甲側縁部から上方に巻き上げられた側壁部２１とを有している。底壁部２０の踵中央部位には、開孔２０ａが形成されている。一方、ミッドソール４の踵中央部位には、下方に突出する支柱４０が形成されている。支柱４０は、たとえば載頭円錐台形状を有しており、上部プレート２の底壁部２０の開孔２０ａを挿通しつつ下方に延びている。支柱４０の先端４０ａは、下部プレート３に当接している。
【００６０】
また、上部プレート２の踵部Ｈには、図２、図３、図５、図６および図８に示すように、側方に張り出す張出部２２が内甲側縁部および外甲側縁部に形成されている。ここでは、張出部２２は、上部プレート２の内甲側縁部および外甲側縁部にそれぞれ２つずつ設けられている。各張出部２２は、上部プレート２の側壁部２１から側方に膨出形成されている。
【００６１】
図４ないし図７に示すように、下部プレート３は、踵部Ｈから前足部Ｆまで延びる底壁部３０と、踵部Ｈにおいて底壁部３０の内甲側縁部および外甲側縁部に形成され、上方に延設された複数の巻上げ部３１とを有している。ここでは、巻上げ部３１は、下部プレート３の内甲側縁部および外甲側縁部にそれぞれ２つずつ設けられている。また、各巻上げ部３１は、上部プレート２の各張出部２２にそれぞれ対応する位置に配置されている。各巻上げ部３１の上部は、上部プレート２の各張出部２２の内側に挿入されている。言い換えれば、上部プレート２の各張出部２２は、各巻上げ部３１の上部外側面を覆うように配置されている。
【００６２】
また、下部プレート３の底壁部３０の踵部中央部位は、図４、図６および図７に示すように、上方に凸状に膨出する膨出部３２を有している。膨出部３２の上面には、上部プレート２の開孔２０ａを挿通しつつ下方に延びる、ミッドソール４の支柱４０の先端が固着されている。下部プレート３の下面側の踵部中央部位には、膨出部３２による凹部３２’が形成されている（図１、図４、図６および図７参照）。
【００６３】
図１および図９に示すように、下部プレート３の下面には、凹部３２’を通って前後方向に延びる第１の溝３３が形成されている。第１の溝３３は、踵部Ｈ後端から中足部Ｍにかけて延設されている。また、下部プレート３の下面には、凹部３２’を通って幅方向に延びる第２の溝３４が形成されている。第２の溝３４は、踵部Ｈの内甲側縁部から外甲側縁部まで延設されている。下部プレート３は、図４に示すように、踵部Ｈにおいて、前後方向に進む概略波形状を有している。この波形状は、２つの「下に凸」の部分（つまり谷の部分）と、これらの間に形成された「上に凸」の部分（つまり山の部分）とから形成されており、波形状の山の稜線は幅方向に延びている。また、波形状の山の部分により、第２の溝３４が形成されている。
【００６４】
図１ないし図３、図５、図６および図９に示すように、下部プレート３の下面には、種々のトレッドパターンが形成された、たとえばラバー製のアウトソール５が接着されている。踵部Ｈに配置された４つのアウトソール５Ａ，５Ｂ，５Ｃ，５Ｄは、下部プレート３の下面において第１および第２の溝３３，３４によって区画された４つの領域に対応して設けられている。すなわち、踵部Ｈに配置されたアウトソール５は、幅方向のみならず、前後方向にも分離して設けられている。各アウトソール５Ａ，５Ｂ，５Ｃ，５Ｄは、図５および図６に示すように、下部プレート３の巻上げ部３１に沿って上方に延設されており、その上部は、上部プレート２の張出部２２および巻上げ部３１間の空隙内に挿入されるとともに、張出部２２の内面に固着されている。
【００６５】
このようにして、上部プレート２の各張出部２２および下部プレート３の各巻上げ部３１が、各アウトソール５の上方への延設部を介して互いに固着されており、これにより、上下部プレート２，３を連結する連結部が構成されている。
【００６６】
また、図１ないし図３および図９に示すように、下部プレート３は、前足部Ｆにおいて、幅方向の溝３６および実質的に前後方向の溝３７を有している。下部プレート３に装着されるアウトソール５は、これらの溝３６，３７によって、複数のアウトソール５Ｅに分割されている。
【００６７】
図２および図４に示すように、上下部プレート２，３間において、中足部Ｍには弾性ブロック６が設けられ、前足部Ｆには弾性ブロック７が設けられている。弾性ブロック７には、幅方向に貫通するクッション孔７ａが形成されている。
【００６８】
図４に示すように、ミッドソール４は、上面４０ｂを有する底壁部４０と、底壁部４０の左右両側部に形成された上方への立上げ部４１とから構成されている。上面４０ｂには、図示しないシューズの甲被部の底部が固着される。
【００６９】
上述のように構成されるソール構造体１においては、上下部プレート２，３間の少なくとも踵部Ｈに空隙Ｓが形成されているので、シューズ着地時にソール構造体１に衝撃荷重が作用した際には、この空隙Ｓにより、シューズのクッション性が確保される。
【００７０】
しかも、下部プレート３の踵部中央部位に上方への凸状膨出部３２が形成されていることにより、言い換えれば、この凸状膨出部３２の形成によって下部プレート３の下面の踵部中央部位に凹部３２’が形成されていることにより、シューズの踵部の周縁部から着地した際に下部プレート３が上下方向に変形しやすくなっており、これにより、シューズ着地時のクッション性を一層向上できる。
【００７１】
なお、この場合には、シューズの踵部のアウトソール５Ａ，５Ｂおよび５Ｃ，５Ｄが幅方向に分離されていることにより、シューズの踵部の内甲側または外甲側周縁部から着地した際には、下部プレート３が上下方向により変形しやすくなっており、これにより、シューズ着地時のクッション性が助長されている。
【００７２】
しかも、この場合には、上下部プレート２，３間の空隙Ｓに対応する位置（図５、図６参照）において内甲側縁部または外甲側縁部に、上下部プレート２，３を連結する少なくとも一つの連結部が設けられているので、サイドステップやターンなどの動作の際にシューズの踵部に横方向の荷重が作用したとき、上下部プレート２，３が上下方向に過度に沈み込むのを防止でき、これにより、シューズの踵部の横方向の安定性が向上できる。
【００７３】
また、下部プレート３の下面には、凹部３２’を通って前後方向に延びる第１の溝３３が形成されているので、シューズの踵部の内甲側部分または外甲側部分から着地したとき、すなわち、第１の溝３３を挟んで下部プレート３の踵部Ｈの左右いずれかの部分から接地したとき、下部プレート３の当該部分が第１の溝３３の形成によって上下方向に変形しやすくなっており、これにより、シューズ着地時のクッション性をより一層向上できる。
【００７４】
さらに、下部プレートの下面には、凹部３２’を通って幅方向に延びる第２の溝３４が形成されているので、シューズの踵部の後端側部分から着地した際には、下部プレート３の踵部Ｈの後端側部分が上下方向に変形しやすくなっており、これにより、シューズ着地時のクッション性をより一層向上できる。
【００７５】
また、上下部プレート２，３間の踵中央部位には、上下方向に延びる弾性部材製の支柱４０が配設されているので、シューズの着地時においてソール構造体１の踵部Ｈに荷重が作用した際には、上部プレート２からの下方への荷重が支柱４０を介して下部プレート３の踵中央部位に作用する。
【００７６】
これにより、下部プレート３の膨出部３２が下方に押圧され、このとき、上下部プレート２，３の連結部が踵内方に変形しようとする（図６矢印参照）。その結果、上下部プレート２，３の連結部の剛性が向上して、上下部プレート２，３が下方に沈み込むのを防止できる。また、この場合には、シューズの着地時において上下部プレート２，３が変形する際には、上下部プレート２，３の踵中央部位が互いに接触して底付きを起こすのを防止でき、これにより、シューズ踵部位のクッション性を向上できる。
〔変形例１〕
前記実施例では、支柱４０がミッドソール４と一体に設けられた例を示したが、本発明の適用はこれには限定されず、支柱４０は、ミッドソール４とは別個に設けられた弾性部材から構成されていてもよい。
〔変形例２〕
前記実施例では、上下部プレート２，３が、踵中央部位において、支柱４０を介して互いに連結された例を示したが、本発明は、上下部プレート２，３が、支柱４０を介さずに直接接触して互いに固着されることにより、上下部プレート２，３が一体的に連結されているものにも適用可能である。
【００７７】
この場合、シューズの着地時にソール構造体１の踵部Ｈに荷重が作用した際には、上部プレート２からの下方への荷重が直接下部プレート３の踵中央部位に作用して、下部プレート３の膨出部３２が下方に押圧され、このとき、上下部プレート２，３の内甲（または外甲）側縁部の連結部が踵内方に変形しようとする。その結果、上下部プレート２，３の連結部の剛性が向上して、上下部プレート２，３が下方に沈み込むのを防止できる。
〔変形例３〕
前記実施例では、踵部Ｈにおいて、各アウトソール５を上方に延設した延設部を介して、上部プレート２の各張出部２２および下部プレート３の各巻上げ部３１が互いに連結された例を示したが、本発明の適用はこれには限定されない。
【００７８】
各アウトソール５を上方に延設することなく、各張出部２２の内側において各アウトソール５とは別個に弾性部材を設け、当該弾性部材を介して各張出部２２および各巻上げ部３１を連結するようにしてもよい。
【００７９】
また、張出部２２および巻上げ部３１は、アウトソール５などの弾性部材を介することなく、直接固着されていてもよい。この場合には、張出部２２の内側面が巻上げ部３１の上部外側面を保持するように配置されるとともに、これらの面が直接接触して互いに固着されることになる。
〔変形例４〕
前記実施例では、上部プレート２に張出部２２を形成し、張出部２２の内側に配置されるように下部プレート３に巻上げ部３１を形成するとともに、巻上げ部３１の上部外側面に張出部２２の内側面を連結するようにした例を示したが、本発明の適用はこれに限定されない。
【００８０】
上部プレート２の底壁部２０の内甲側縁部または外甲側縁部から下方に延びる延設部を形成し、当該延設部の外側に配置されるように下部プレート３に巻上げ部を形成するとともに、延設部の外側面に巻上げ部の上部内側面を直接または間接的に（つまり弾性部材を介して）連結するようにしてもよい。
〔変形例５〕
前記実施例では、上下部プレート２，３を連結する連結部が、踵部Ｈにおいて内甲側縁部および外甲側縁部に前後方向の間隔を隔ててそれぞれ２つずつ計４個設けられた例を示したが、本発明の適用はこれには限定されない。
【００８１】
連結部は、踵部Ｈの前側において内甲側縁部および外甲側縁部にそれぞれ１つずつ配置するとともに、踵部Ｈの後側縁部の中央に１つ配置することにより、計３個設けるようにしてもよい。より具体的には、下部プレート３に形成される前後方向の第１の溝３３の後側終端位置を前記実施例のように踵部後端縁ではなく凹部３２’の位置にするとともに、アウトソール５Ｃおよび５Ｄをつなげて一つのアウトソールにする。すなわち、この場合には、下部プレート３が、第１、第２の溝３３，３４によって３つの領域に区画されており、これら３つの領域にそれぞれ対応して３つのアウトソールが設けられている。そして、アウトソール５Ａ，５Ｂの位置に前記実施例と同様の連結部をそれぞれ設けるとともに、アウトソール５Ｃ，５Ｄをつなげたアウトソールの踵部後側縁部に前記実施例と同様の連結部を設けるようにする。
【００８２】
または、連結部は、踵部Ｈにおいて内甲側縁部および外甲側縁部に前後方向の間隔を隔ててそれぞれ３つずつ計６個設けるようにしてもよい。この場合には、下部プレート３の踵部中央部位を通る前後方向の第１の溝３３を下部プレート３に形成するとともに、下部プレート３の踵部中央部位を挟んで前側および後側に前後方向の間隔を隔てて２本の第２の溝３４を形成する。これにより、下部プレート３が６つの領域に区画されており、これら６つの領域にそれぞれ対応して６つのアウトソールが設けられている。そして、各アウトソールの位置に対応してそれぞれ連結部を設けるようにする。
【００８３】
あるいは、連結部は、踵部Ｈの内甲側縁部および外甲側縁部にそれぞれ１つずつ計２個設けるようにしてもよい。この場合には、下部プレート３の踵部中央部位を通る前後方向の第１の溝３３を下部プレート３に形成することにより、下部プレート３を第１の溝３３を挟んで２つの領域に区画する。そして、これら２つの領域にそれぞれ対応して２つのアウトソールを設けるとともに、各アウトソールの位置に対応してそれぞれ連結部を設ける。
〔変形例６〕
前記実施例では、上部プレート２の張出部２２が上部プレート２を側方に単に張り出すことにより構成された例を示したが、この張出部２２の内側面または外側面に複数のリブを設けることにより、張出部２２の剛性を高めるようにしてもよい。これらのリブは、たとえば、張出部２２に一体に形成された、実質的に上下方向に延びる複数の凸条部から形成される。あるいは、張出部２２として、カーボンまたはグラスファイバー入りの樹脂を用いるようにしてもよい。
〔変形例７〕
前記実施例では、下部プレート３の踵中央部位に形成される膨出部３２（したがって凹部３２’）の平面形状が概略円形状である場合を示したが（図１参照）、本発明の適用はこれには限定されない。
【００８４】
図１０に示すように、凹部３２’（したがって膨出部３２）は、実質的に前後方向に延びる長穴形状を有していてもよい。この場合、長穴形状の長軸方向Ｌと直交しつつ当該長穴形状の中心Ｏを通る線がシューズの内甲側縁部および外甲側縁部と交差する位置Ｐ，Ｑに連結部を配置するのが好ましい。あるいは、長穴形状の長軸Ｌと直交する線が、点Ｐ，Ｑの前側および（または）後側において、シューズの内甲側縁部および外甲側縁部と交差する位置に連結部を配置するようにしてもよい。
【００８５】
これらの場合、シューズの着地時には、長穴形状を挟んで左右両側の部分が上下方向に変形しやすくなっており、これにより、シューズ着地時のクッション性をより一層向上できる。
〔変形例８〕
前記実施例では、最も好ましい態様として、下部プレート３の踵部中央部位に上方への膨出部３２を設けるとともに、下部プレート３の踵部下面においてアウトソール５を幅方向に分離して設けるようにした例を示したが、本発明は、膨出部３２のみを設けるか、または幅方向に分離したアウトソール５のみを設ける場合にも同様に適用可能である。
【００８６】
この場合には、下部プレートの踵部下面の内甲側および外甲側にアウトソール部またはクリーツ部が幅方向に分離して設けられているので、シューズの内甲側または外甲側から着地した際には、下部プレートが上下方向に変形しやすくなっており、これにより、シューズ着地時のクッション性を一層向上できる。さらに、この場合には、上下部プレート間の空隙Ｓに対応する位置において内甲側縁部または外甲側縁部に、上下部プレートの連結部が設けられているので、サイドステップやターンなどの動作の際にシューズの踵部に横方向の荷重が作用したとき、上下部プレートが上下方向に過度に変形するのを防止でき、これにより、シューズの踵部の横方向の安定性が向上できる。
〔変形例９〕
前記実施例では、支柱４０を下部プレート３の踵部中央部位に配置した例を示したが、支柱４０の位置は、踵部中央部位に限らず、下部プレート３の第１の溝３３が形成された前後方向の領域、または第２の溝３４が形成された幅方向の領域に対応する位置に配置するようにしてもよい。また、上下部プレート２，３を一体的に連結する位置も踵部中央部位に限らず、下部プレート３の第１の溝３３が形成された前後方向の領域、または第２の溝３４が形成された幅方向の領域に対応する位置において、上下部プレート２，３を連結するようにしてもよい。あるいは、第１、第２の溝３３，３４が設けられることなく、アウトソール５が幅方向（および前後方向）に分離して設けられている場合において、隣り合う各アウトソール５の間の位置に支柱を配設し、または隣り合う各アウトソール５の間の位置で上下部プレート２，３を連結するようにしてもよい。
〔変形例１０〕
前記実施例では、支柱４０の先端４０ａが下部プレート３に当接している例を示したが、本発明は、図１１に示すように、支柱４０の先端４０ａと下部プレート３との間に隙間が形成されているものにも同様に適用できる。この場合には、下部プレート３の上下方向の変形量が増えるので、クッション性をさらに向上できる。
〔変形例１１〕
前記実施例および前記各変形例では、下部プレートの下面に複数のアウトソールが設けられた例を示したが、本発明は、アウトソールの代わりにクリーツ（スタッド）が設けられたクリーツシューズにも同様に適用可能である。
【図面の簡単な説明】
【００８７】
【図１】本発明の一実施例によるシューズ用ソール構造体の底面図である。
【図２】ソール構造体（図１）の外甲側側面図である。
【図３】ソール構造体（図１）の内甲側側面図である。
【図４】図１のIV-IV線断面図である。
【図５】図１のV-V線断面図である。
【図６】図１のVI-VI線断面図である。
【図７】図１のVII-VII線断面図である。
【図８】ソール構造体（図１）の斜視側面図である。
【図９】ソール構造体（図１）の斜視底面図である。
【図１０】ソール構造体（図１）において、膨出部の変形例を示す底面概略図である。
【図１１】図６の変形例を示す図である。
【符号の説明】
【００８８】
１：  ソール構造体
２：  上部プレート
２０ａ：  開孔（貫通孔）
２２：  張出部
３：  下部プレート
３１：  巻上げ部
３２：  膨出部
３２’：  凹部
３３：  第１の溝
３４：  第２の溝
４：  ミッドソール
４０：  支柱
５：  アウトソール
５Ａ〜５Ｅ：  アウトソール
Ｓ：  空隙
Ｆ：  前足部
Ｍ：  中足部
Ｈ：  踵部
【図１】
2008048894.tif 000003
【図２】
2008048894.tif 000004
【図３】
2008048894.tif 000005
【図４】
2008048894.tif 000006
【図５】
2008048894.tif 000007
【図６】
2008048894.tif 000008
【図７】
2008048894.tif 000009
【図８】
2008048894.tif 000010
【図９】
2008048894.tif 000011
【図１０】
2008048894.tif 000012
【図１１】
2008048894.tif 000013